(57)【特許請求の範囲】
【請求項１】
放送の受信を行う受信回路と、
この受信回路の受信周波数のデータを記憶する第１のメモリと、
この第１のメモリから上記受信周波数のデータを読み出して上記受信回路に設定する第１の制御回路と、
複数の選局キーと、
第１の操作キーと、
オーディオ信号の書き込み・読み出しの行われる第２のメモリと、
この第２のメモリに対する上記オーディオ信号の書き込み・読み出しのエリアを制御する第２の制御回路と
を有し、
上記受信回路の電源がオンの場合に、上記選局キーの１つが操作されたときには、上記第１の制御回路により、上記第１のメモリのうち、上記操作された選局キーに対応するエリアから受信周波数のデータを読み出し、
この読み出した受信周波数のデータを上記受信回路に供給して受信周波数を上記読み出したデータの示す受信周波数に設定し、
上記受信回路の電源がオフの場合に、上記選局キーの１つが操作されたときには、上記第２の制御回路により、上記第２のメモリのうち、上記操作された選局キーに対応するエリアに対して、上記オーディオ信号の書き込みあるいは読み出しを行って上記オーディオ信号の記録あるいは再生を行い、
上記受信回路の電源がオフの場合に、上記第１の操作キーが操作されたときには、上記第２のメモリのうち、上記オーディオ信号の書き込まれていないとみなさるエリアに対応する選局キーの番号を表示する
ようにしたラジオ受信機。
【請求項２】
請求項１に記載のラジオ受信機において、
上記受信回路の電源がオフの場合に、上記選局キーの１つが第１の操作をされたときには、上記第２の制御回路により、上記第２のメモリのうち、上記操作された選局キーに対応するエリアに対して、上記オーディオ信号の書き込みを行って上記オーディオ信号の記録を行い、
上記受信回路の電源がオフの場合に、上記選局キーの１つが第２の操作をされたときには、上記第２の制御回路により、上記第２のメモリのうち、上記操作された選局キーに対応するエリアに対して、上記オーディオ信号の読み出しを行って上記オーディオ信号の再生を行う
ようにしたラジオ受信機。
【請求項３】
請求項２に記載のラジオ受信機において、
上記第１の操作が長く押すことであり、
上記第２の操作が短く押すことである
ようにしたラジオ受信機。
【請求項４】
請求項１、請求項２あるいは請求項３に記載のラジオ受信機において、
第２の操作キーを有し、
上記受信回路の電源がオフの場合に、上記第２の操作キーを操作しながら上記選局キーの１つを操作したときには、上記第２のメモリのうち、上記操作された１つの選局キーに対応するエリアのオーディオ信号が消去されているとみなされるための処理を行う
ようにしたラジオ受信機。
【発明の詳細な説明】
【０００１】
【発明の属する技術分野】
この発明は、ラジオ受信機に関する。
【０００２】
【従来の技術】
オーディオ信号の記録媒体としてメモリを使用するとともに、そのメモリと、記録回路および再生回路とを１チップ化したＩＣがある。このようなＩＣは、テープレコーダのように長時間の録音はできないが、メモのように短いメッセージなどを手軽に録音するのに適している。
【０００３】
【発明が解決しようとする課題】
ところが、古いメッセージを消去しないで新しいメッセージを録音していくと、新しい録音は古い録音に追加録音されていくので、つまり、前に録音したメッセージに続いて次のメッセージが録音されていくので、複数のメッセージを録音すると、その中から目的とするメッセージを探して再生する場合、手間がかかってしまう。
【０００４】
この発明は、上記のような記録再生用のＩＣを一体に組み込んだラジオ受信機において、特に再生時の操作性を向上させようとするものである。
【０００５】
【課題を解決するための手段】
このため、この発明においては、
放送の受信を行う受信回路と、
この受信回路の受信周波数のデータを記憶する第１のメモリと、
この第１のメモリから上記受信周波数のデータを読み出して上記受信回路に設定する第１の制御回路と、
複数の選局キーと、
第１の操作キーと、
オーディオ信号の書き込み・読み出しの行われる第２のメモリと、
この第２のメモリに対する上記オーディオ信号の書き込み・読み出しのエリアを制御する第２の制御回路と
を有し、
上記受信回路の電源がオンの場合に、上記選局キーの１つが操作されたときには、上記第１の制御回路により、上記第１のメモリのうち、上記操作された選局キーに対応するエリアから受信周波数のデータを読み出し、
この読み出した受信周波数のデータを上記受信回路に供給して受信周波数を上記読み出したデータの示す受信周波数に設定し、
上記受信回路の電源がオフの場合に、上記選局キーの１つが操作されたときには、上記第２の制御回路により、上記第２のメモリのうち、上記操作された選局キーに対応するエリアに対して、上記オーディオ信号の書き込みあるいは読み出しを行って上記オーディオ信号の記録あるいは再生を行い、
上記受信回路の電源がオフの場合に、上記第１の操作キーが操作されたときには、上記第２のメモリのうち、上記オーディオ信号の書き込まれていないとみなさるエリアに対応する選局キーの番号を表示する
ようにしたラジオ受信機
とするものである。
したがって、選局キーが記録および再生キーとして作用し、複数の記録およびその再生が、他の記録および再生とは独立に実行される。
【０００６】
【発明の実施の形態】
ところで、シンセサイザ方式の受信機においては、一般に、選局キーに放送局をプリセットしておくことができ、選局キーを押すと、その押されたキーにプリセットされている放送局を選局できるようにされている。
【０００７】
この場合、そのプリセットは、受信周波数のデータを選局キーに対応したメモリのアドレスに書き込んでおくものである。また、選局は、押された選局キーに対応したアドレスから受信周波数のデータを読み出し、このデータにより受信周波数を設定することにより、実現している。なお、選局キーの数は、一般に５〜９個程度である。
【０００８】
したがって、受信機の電源がオンの状態では、選局キーは選局のために使用されるが、電源がオフの状態では、選局キーは遊んでいる。
【０００９】
一方、ＩＣを利用した記録再生機は、上記のようにメッセージなどの録音に適している。
【００１０】
そこで、この発明においては、受信機の電源をオフにした場合には、選局キーが記録キーあるいは再生キーとして働くようにしたものである。すなわち、第１番目の選局キーを押したときには、メモリの第１のエリアに記録あるいは再生を行い、第２番目の選局キーを押したときには、そのメモリの第２のエリアに記録あるいは再生を行い、・・・というようにしたものである。
【００１１】
以下、この発明の一形態について説明しよう。
【００１２】
図１において、符号１０はＡＭ・ＦＭ受信部を示し、これは、ＡＭ放送の受信を行うＡＭ受信回路１１と、ＦＭ放送の受信を行うＦＭ受信回路１２と、バンド切り換え用のスイッチ回路１３とを有する。
【００１３】
この場合、ＡＭ受信回路１１は、アンテナ入力回路からＡＭ検波回路までを有してスーパーヘテロダイン方式に構成されている。さらに、この受信回路１１は、シンセサイザ方式に構成され、ＰＬＬのＶＣＯの発振信号が局部発振信号として使用されるとともに、ＰＬＬの可変分周回路の分周比を変更することにより局部発振周波数が変化して受信周波数が変更される。そして、受信回路１１からは、その受信したＡＭ放送のオーディオ信号が出力される。
【００１４】
また、ＦＭ受信回路１２も、ＡＭ受信回路１１と同様、スーパーヘテロダイン方式およびシンセサイザ方式に構成され、ＰＬＬの可変分周回路の分周比を変更することにより局部発振周波数が変化して受信周波数が変更され、その受信したＦＭ放送のオーディオ信号が出力される。そして、ＡＭ受信回路１１からのオーディオ信号と、ＦＭ受信回路１２からのオーディオ信号とが、スイッチ回路１３により受信バンドに対応して選択されて取り出される。
【００１５】
さらに、符号２０は記録再生部を示し、これは、内蔵マイクロフォン２１と、マイクロフォンアンプ２２と、記録再生回路２３とを有する。
【００１６】
この場合、記録再生回路２３は、１チップ化されたＩＣにより構成されているが、この例においては、記録再生回路２３は、オーディオ信号をデジタルデータ化することなくアナログ信号のまま記録再生するものである。そして、このため、記録再生回路２３は、ローパスフィルタ２３１と、メモリ２３２と、ローパスフィルタ２３３と、制御回路２３４と、クロック形成回路２３５とを有する。
【００１７】
ここで、フィルタ２３１は、記録するオーディオ信号に対してアンチエイリアシング処理を行うものである。さらに、メモリ２３２は、書き込み時、フィルタ２３１からのオーディオ信号を所定の周波数でサンプリングしてそのサンプルごとに各アドレスに順に記憶し、読み出し時、各アドレスからそこに書き込まれているサンプルを順に取り出してオーディオ信号を出力するものである。また、フィルタ２３３は、メモリ２３２から取り出されたオーディオ信号に対して平滑処理を行うものである。
【００１８】
さらに、制御回路２３４は、メモリ２３２に対するオーディオ信号の書き込み・読み出しと、それらのアドレスとを制御するものである。そして、制御回路２３４は、書き込みの待機を指示するコマンドRECPWRおよびアドレスＡADR が供給されると、メモリ２３２のＡADR 番地から書き込みを開始する状態で待機し、書き込みの許可を示すコマンドRECDが供給されると、そのＡADR 番地から書き込みを開始する。
【００１９】
また、制御回路２３４は、読み出しの待機を指示するコマンドPLAYPWR およびアドレスＡADR が供給されると、メモリ２３２のＡADR 番地から読み出しを開始する状態で待機し、読み出しの許可を示すコマンドPLAYDDが供給されると、そのＡADR 番地から読み出しを開始する。
【００２０】
さらに、書き込み時および読み出し時、メモリ２３２の最後のアドレスまで書き込みあるいは読み出しが進んだときには、これを示すデータOVF が制御回路２３４から出力される。また、読み出し時、書き込みを行ったときの最終アドレスまで読み出しが進んだときには、これを示すデータEOM が制御回路２３４から出力される。
【００２１】
また、メモリ２３２に対して書き込みあるいは読み出しを行っているときに、停止を指示するコマンドSTOPが供給されると、その書き込みあるいは読み出しを停止する。なお、メモリ２３２への書き込みの開始アドレスＡADR および書き込みの終了は、上記のように任意に設定ないし制御できるので、１つのメモリ２３２に複数のメッセージ（オーディオ信号）を記憶できることになる。
【００２２】
さらに、制御回路２３４は、この記録再生回路２３、すなわち、ＩＣ２３の電源の状態も制御するもので、ＩＣ２３は、これが動作状態にあるとき、コマンドSTOPPWRDが供給されると、待機状態となり、ほとんど電流を消費しないで次の有効なコマンドを待機し、この待機状態にあるとき、コマンドPOWERUP が供給されると、動作状態となり、上記のように記録あるいは再生（書き込みあるいは読み出し）のコマンドRECPWR、PLAYPWR を受け付けるようになる。
【００２３】
なお、以上のような記録および再生のできるＩＣ２３として、例えば、ＩＳＤ社のＩＳＤ３３０００シリーズのＩＣがある。そして、このＩＣの１つによれば、メモリ２３２にオーディオ信号を記録するときのサンプリング周波数は6.4 ｋHz、フィルタ２３１、２３３のカットオフ周波数は2.7 ｋHzで、記録時間は最大150 秒である。また、同シリーズのＩＣにおいては、メモリ２３２は不揮発性メモリであり、電源をオフにしたときでも、バックアップを行う必要がない。
【００２４】
さらに、符号３０は音声出力回路を示し、これは、受信部１０からのオーディオ信号および記録再生部２０からのオーディオ信号を選択的に取り出すスイッチ回路３１と、アンプ３２と、スピーカ３３とを有する。
【００２５】
また、符号４０はシステム制御用のマイクロコンピュータを示す。このマイクロコンピュータ４０は、ＣＰＵ４１、この受信機を制御するプログラムの書き込まれているＲＯＭ４２、ワークエリア用のＲＡＭ４３、入力ポート４４および出力ポート４５などが１チップＩＣ化されているものである。
【００２６】
そして、ＲＯＭ４２には、これに書き込まれているプログラムの一部として、例えば図２および図３に示す記録再生ルーチン１００が用意されている。なお、このルーチン１００の詳細については、後述する。
【００２７】
また、ＲＯＭ４２には、例えば図４に示すような周波数情報のテーブルFRQTが用意されている。すなわち、この受信機が日本向けであれば、日本全国が放送の受信状況にしたがって例えば「北海道」〜「九州２」の14の地域に分割される。そして、テーブルFRQTは、その分割された各地域で受信することのできるＡＭ放送局およびＦＭ放送局の周波数のデータを有する。図４のテーブルFRQTにおいては、周波数のデータとして、その周波数に対応する分周比ＮA1〜ＮA7、ＮF1〜ＮF7を、各地域ごとに例えば７局分ずつ有する場合である。
【００２８】
さらに、ＲＯＭ４２には、例えば図５に示すように、後述する選局キーＫ1 〜Ｋ7 に対応して、メモリ２３２にオーディオ信号を記録再生するときの開始アドレスＡADR1〜ＡADR7が用意される。
【００２９】
さらに、マイクロコンピュータ４０には、外部にメモリ５１が接続される。このメモリ５１は、データの消去および書き込みを電気的に行うことのできるＲＯＭとされ、あるいは、図示はしないが、電池によりバックアップされたＲＡＭとされ、すなわち、メモリ５１は不揮発性メモリとされ、電源をオフにしたときでも、書き込まれたデータを保持できるようにされている。そして、メモリ５１にはデータテーブルDTBLが用意される。
【００３０】
このデータテーブルDTBLは、例えば図６に示すように、７つの選局キーＫ1 〜Ｋ7 に対応して７つのデータエリアＡ1 〜Ａ7 を有するとともに、これらエリアＡ1 〜Ａ7 に、ＡＭ受信用の分周比ＮA1〜ＮA7、ＦＭ受信用の分周比ＮF1〜ＮF7、記録フラグFLG1〜FLG7が１組ずつ記憶される。この場合、分周比ＮA1〜ＮA7、ＮF1〜ＮF7は、選局キーＫ1 〜Ｋ7 にプリセットされるＡＭ放送局およびＦＭ放送局を選局するための受信周波数のデータとして記憶されるものである。また、記録フラグFLG1〜FLG7は、オーディオ信号の記録の有無を示すもので、“０”のとき記録はなく、“１”のとき記録があると見なされる。
【００３１】
さらに、図１において、マイクロコンピュータ５２には、受信周波数などの各種の情報を表示するためのディスプレイとしてＬＣＤ５２が接続されるとともに、各種の操作キーＫPW〜ＫPSおよび例えば７つの選局キーＫ1 〜Ｋ7 が接続される。なお、これらのキーＫPW〜ＫPS、Ｋ1 〜Ｋ7 は、いずれもノンロックタイプのプッシュスイッチにより構成され、一部のキーは、ラジオ受信時と記録再生時とで兼用される。
【００３２】
このような構成において、ＣＰＵ４１がＲＯＭ４２のプログラムを実行することにより、それぞれの処理および動作が以下のように実行される。
【００３３】
［電源のオンオフ］
電源部については、図示を省略するが、操作キーＫPW〜ＫPSのうちの電源キーＫPWを押すごとに、電源のオンとオフとが交互に繰り返される。そして、電源がオフのときには、マイクロコンピュータ４０にのみ動作電圧が供給され、マイクロコンピュータ４０は待機状態にある。また、電源がオンのときには、すべての回路に電源が供給されるが、記録再生回路２３は待機状態にある。
【００３４】
［受信バンドの切り換え］
これは、受信バンドをＡＭ放送とＦＭ放送との間で切り換える場合である。そして、この場合には、受信機の電源がオンのときに、キーＫPW〜ＫPSのうちのバンド／空きサーチＫBSを押す。
【００３５】
すると、キーＫBSを押すごとに、スイッチ回路１３がＡＭ受信回路１１とＦＭ受信回路１２とに交互に切り換えられるとともに、その切り換えられた結果の受信バンドがＬＣＤ５２に表示される。また、受信バンドがＡＭ放送とＦＭ放送とのどちらであるかを示すデータが、マイクロコンピュータ４０に保持される。
【００３６】
したがって、キーＫBSを押すことにより、受信バンドをＡＭ放送とＦＭ放送との間で切り換えることができる。
【００３７】
［選局キーによる選局］
これは、選局キーＫ1 〜Ｋ7 似プリセットされている放送局を選局する場合である。そして、この場合には、受信機の電源がオンのときに、選局キーＫ1 〜Ｋ7 のうちの任意の選局キーＫi （ｉ＝１〜７のどれか）を押す。
【００３８】
すると、データテーブルDTBLのエリアＡ1 〜Ａ7 のうち、このときの受信バンドで、かつ、押された選局キーＫi に対応するエリアＡi から、そこに書き込まれている分周比ＮAiあるいはＮFiが読み出される。そして、この読み出された分周比ＮAiあるいはＮFiが、受信回路１１、１２のうち、このときの受信バンドに対応した受信回路のＰＬＬの可変分周回路にセットされる。
【００３９】
したがって、ＡＭ受信回路１１あるいはＦＭ受信回路１２から目的とする放送のオーディオ信号が取り出され、この信号が、スイッチ回路１３→電源がオンのときには、図の状態に切り換えられているスイッチ回路３１→アンプ３２の信号ラインを通じてスピーカ３３に供給される。
【００４０】
したがって、選局キーＫ1 〜Ｋ7 を押すと、その選局キーＫi にプリセットされている放送局を選局することができ、その放送を聴くことができる。
【００４１】
［放送局のプリセット］
これは、選局キーＫ1 〜Ｋ7 にＡＭ放送局およびＦＭ放送局をプリセットする場合である。そして、この場合には、受信機の電源がオンのときに、キーＫPW〜ＫPSのうちのエリア／消去キーＫAE押す。
【００４２】
すると、キーＫAEを押すごとに、テーブルFRQTにおける日本全国を14分割したときの地域名が、順にＬＣＤ５２に表示されるとともに、その表示された地域で受信できる放送局の周波数のデータ、今の場合は、分周比ＮA1〜ＮA7、ＮF1〜ＮF7がテーブルFRQTから読み出され、この読み出された分周比ＮA1〜ＮA7、ＮF1〜ＮF7がデータテーブルDTBLのエリアＡ1 〜Ａ7 にそれぞれ書き込まれる。
【００４３】
したがって、受信機を使用する場所を含む地域名を選択するだけで、その地域で受信できるＡＭ放送局およびＦＭ放送局が選局キーＫ1 〜Ｋ7 にプリセットされたことになる。
【００４４】
［音声の記録］
これは、メッセージなどの音声を記録する場合である。そして、この場合には、受信機の電源がオフのときに、選局キーＫ1 〜Ｋ7 のうちの任意の選局キーＫi を長く、例えば２秒以上押す。
【００４５】
すなわち、電源がオフのときには、ＣＰＵ４１の処理はルーチン１００のステップ１０１においてキー入力待ちとなっているが、キーＫPW〜ＫPS、Ｋ1 〜Ｋ7 のどれかが押されると、処理はステップ１０２に進み、このステップ１０２において、ステップ１０１で入力されたキーが判別される。
【００４６】
そして、今の場合は、選局キーＫi なので、処理はステップ１０２からステップ１１１に進み、このステップ１１１において、選局キーＫi が２秒以上押されていたかどうかが判別さる。そして、今の場合、２秒以上押されているので、処理はステップ１１１からステップ１１２に進み、このステップ１１２において、図５に示すＲＯＭ４２に用意されているメモリ２３２の開始アドレスＡADR1〜ＡADR7のうち、押された選局キーＫi に対応する開始アドレスＡADRiが取得される。
【００４７】
続いて、ステップ１１３において、制御回路２３４にステップ１１２で取得した開始アドレスＡADRiからの記録が指示され、記録が開始される。すなわち、制御回路２３４に、まず、電源をオンにするコマンドPOWERUP が供給されて記録再生回路２３は待機状態から動作状態とされ、次に、記録待機のコマンドRECPWRおよびステップ１１２で取得した開始アドレスＡADRiが供給されてメモリ２３２のアドレスＡADRiからの記録の待機状態とされ、その後、記録実行のコマンドRECDが供給される。したがって、記録再生回路２３においては、メモリ２３２のアドレスＡADRiから記録を開始する。
【００４８】
したがって、このとき、マイクロフォン２１に向かってメッセージなどを話すと、マイクロフォン２１からのオーディオ信号が、アンプ２２およびローパスフィルタ２３１を通じてメモリ２３２に供給され、アドレスＡADRiから１サンプルずつ順に書き込まれていく。すなわち、記録されていく。
【００４９】
そして、この間に、ＣＰＵ４１の処理はステップ１１４に進み、このステップ１１４において、ステップ１１３による記録の開始から所定の記録時間、例えば10秒が経過したかどうかが判別される。そして、経過していないときには、処理はステップ１１４からステップ１１５に進み、このステップ１１５において、操作キーＫPW〜ＫPSのうちの停止キーＫPSが押されているかどうかが判別され、押されていないときには、処理はステップ１１５からステップ１１４に戻る。
【００５０】
したがって、ステップ１１３により記録が開始されると、10秒が経過するまでは、その記録が続けられるとともに、停止キーＫPSの状態がチェックされている。
【００５１】
そして、記録を開始してから停止キーＫPSが押されないうちに10秒が経過すると、これがステップ１１４により検出され、処理はステップ１１４からステップ１１６に進み、このステップ１１６において、記録の終了処理が実行される。すなわち、制御回路２３４に、記録再生の動作を停止するコマンドSTOPが供給され、次に電源をオフにするコマンドSTOPPWRDが供給される。したがって、記録再生回路２３は待機状態となる。また、このとき、その記録の最終アドレスが制御回路２３４に保存される。
【００５２】
また、ステップ１１３により記録が開始されてから10秒が経過しない期間に、すなわち、ステップ１１４、１１５が繰り返されている期間に、停止キーＫPSが押されると、これがステップ１１５において検出され、処理はステップ１１５からステップ１１６に進み、やはり記録の終了処理が実行される。
【００５３】
したがって、記録を開始して10秒が経過したときには、自動的に記録を終了し、その10秒が経過しないうちに停止キーＫPSを押したときは、その時点で記録を終了することになる。
【００５４】
そして、記録を終了すると、処理はステップ１１６からステップ１１７に進み、このステップ１１７において、データテーブルDTBLのうち、選局キーＫi に対応するエリアＡi の記録フラグFLGiが記録済みであることを示す“１”にセットされる。そして、その後、処理はステップ１０１に戻り、再びキー入力待ちとなる。
【００５５】
こうして、受信機の電源がオフのときに、選局キーＫ1 〜Ｋ7 のどれかのキーＫi を２秒以上押すと、メモリ２３２のうち、その押されたキーＫi に対応するメモリエリアに記録が行われる。また、このように選局キーＫi に対応するメモリエリアにそれぞれ記録が行われるので、記録は７つまで独立に行うことができることになる。
【００５６】
［記録された音声の再生］
これは、［音声の記録］により記録されたメッセージなどの音声を再生する場合である。そして、この場合には、受信機の電源がオフのときに、選局キーＫ1 〜Ｋ7 のうち、目的とする選局キーＫi を短く、例えば２秒以内の長さで押す。
【００５７】
すると、ステップ１０１でキー入力待ちとなっていたＣＰＵ４１の処理が、ステップ１０２を通じてステップ１１１に進むが、今の場合、選局キーＫi は２秒も押されていないので、処理はステップ１１１からステップ１２１に進み、このステップ１２１において、データテーブルDTBLのフラグFLG1〜FLG7のうち、押された選局キーＫi に対応するフラグFLGiが“１”であるかどうかが判別される。
【００５８】
そして、FLGi＝“１”のときには、選局キーＫi に対応するエリアに記録が行われているときなので、処理はステップ１２１からステップ１２２に進み、このステップ１２２において、図５に示すメモリ２３２の開始アドレスＡADR1〜ＡADR7のうち、押された選局キーＫi に対応する開始アドレスＡADRiが取得される。
【００５９】
続いて、ステップ１２３において、制御回路２３４にステップ１２２で取得した開始アドレスＡADRiからの再生が指示され、再生が開始される。すなわち、制御回路２３４に、まず、電源をオンにするコマンドPOWERUP が供給されて記録再生回路２３は待機状態から動作状態とされ、次に、再生待機のコマンドPLAYPWR およびステップ１２２で取得した開始アドレスＡADRiが供給されてメモリ２３２のアドレスＡADRiからの再生の待機状態とされ、その後、再生実行のコマンドPLAYDDが供給される。したがって、記録再生回路２３においては、メモリ２３２のアドレスＡADRiから再生が開始される。
【００６０】
そして、メモリ２３２からオーディオ信号が再生されると、このオーディオ信号は、ローパスフィルタ２３３→再生時には、回路２３側に切り換えられているスイッチ回路３１→アンプ３２の信号ラインを通じてスピーカ３３に供給される。したがって、メモリ２３２のうち、選局キーＫi に対応したアドレスＡADRiから記録されているオーディオ信号の再生が開始されたことになる。
【００６１】
そして、この間に、ＣＰＵ４１の処理はステップ１２４に進み、このステップ１２４において、制御回路２３４から、記録を行ったときの最終アドレスまで再生が進んだことを示すデータEOM が出力されたかどうかが判別される。そして、データEOM が出力されていないときには、まだメッセージなどが続くときなので、処理はステップ１２４からステップ１２５に進み、このステップ１２５において、停止キーＫPSが押されているかどうかが判別される。そして、押されていないときには、処理はステップ１２５からステップ１２６に進み、このステップ１２６において、選局キーＫi が押されたかどうかが判別され、押されていないときには、処理はステップ１２６からステップ１２４に戻る。
【００６２】
したがって、ステップ１２３により再生が開始されると、その再生の実行状態が続くとともに、その再生が終了するまで、ステップ１２４〜１２６の処理が繰り返されていることになる。
【００６３】
そして、記録を行ったときの最終アドレスまで再生が進むと、このとき、これを示すデータEOM が制御回路２３４から出力されるとともに、このデータEOM がステップ１２４により検出され、処理はステップ１２４からステップ１２７に進む。そして、このステップ１２７において、再生の終了処理が実行される。すなわち、制御回路２３４に、記録再生の動作を停止するコマンドSTOPが供給され、次に電源をオフにするコマンドSTOPPWRDが供給される。したがって、記録再生回路２３は待機状態となる。
【００６４】
そして、その後、処理はステップ１０１に戻り、キー入力待ちとなる。したがって、選局キーＫi で選択された記録が最後まで再生されると、受信機は自動的に待機状態になる。
【００６５】
また、再生中であってステップ１２４〜１２６が繰り返されているときに、停止キーＫPSが押されると、これがステップ１２５において検出され、処理はステップ１２５からステップ１２７に進み、再生の終了処理が実行され、その後、ステップ１０１においてキー入力待ちとなる。したがって、再生中に停止キーＫPSを押すと、そこで再生を終了し、以後、受信機は待機状態になる。
【００６６】
さらに、再生中であってステップ１２４〜１２６が繰り返されているときに、選局キーＫi が押されると、これがステップ１２６において検出され、処理はステップ１２６からステップ１２１に戻る。したがって、以後、メモリ３２３のうち、ステップ１２６で検出された選局キーＫi に対応するエリアの記録が再生されることになる。
【００６７】
なお、この場合、例えば、選局キーＫ1 を押して再生を行っているときに、選局キーＫ2 を押したときには、選局キーＫ2 の記録内容が最初から再生されることになる。また、例えば、選局キーＫ1 を押して再生を行っているときに、再び選局キーＫ1 を押したときには、選局キーＫ1 の記録内容が再び最初から再生されることになる。
【００６８】
さらに、ステップ１２１において、フラグFLGiが“０”のときには、処理はステップ１２１からステップ１２８に進み、このステップ１２８において、形成回路５３がドライブされてエラー音の信号が形成されてアンプ３２に供給され、スピーカ３３からは、選局キーＫi に対応するメモリエリアには記録のないことを告げる「ピピピ」という警告音が出力される。そして、その後、処理はステップ１０１に戻り、キー入力待ちとなる。
【００６９】
こうして、記録の行われていない選局キーを押したときには、これが警告音により通知される。
【００７０】
［空きエリアのサーチ］
これは、選局キーＫ1 〜Ｋ7 のうち、対応するメモリエリアに記録の行われていない選局キー、すなわち、記録の空いている選局キーを探す場合である。そして、この場合には、受信機の電源がオフのときに、バンド／空きサーチキーＫBSを押す。
【００７１】
すると、ステップ１０１でキー入力待ちとなっていたＣＰＵ４１の処理が、ステップ１０２に進み、今の場合、キーＫBSなので、処理はさらにステップ１０２からステップ１３１に進む。
【００７２】
そして、このステップ１３１において、フラグFLG1〜FLG8をチェックすることにより、メモリ２３２のうち、選局キーＫ1 〜Ｋ7 に対応するエリアに、空いているエリアがあるかどうかが判別され、１つでもあるときには、処理はステップ１３１からステップ１３２に進み、このステップ１３２において、フラグFLG1〜FLG8をチェックすることにより、空いているメモリエリアを示す数字、すなわち、空いている選局キーを示す数字がＬＣＤ５２に表示される。
【００７３】
続いて、ステップ１３３において、ステップ１３２の表示が所定の回数あるいは期間にわたって実行されたかどうかが判別され、まだのときには、処理はステップ１３３からステップ１３４に進み、このステップ１３４において、キーＫPW〜ＫPS、Ｋ1 〜Ｋ7 のどれかが押されたかどうかが判別され、押されていないときには、処理はステップ１３４からステップ１３２に戻る。
【００７４】
こうして、以後、ステップ１３２〜１３４が繰り返されるとともに、この繰り返し中、例えば、選局キーＫ1 、Ｋ3 、Ｋ4 、Ｋ6 に対応するメモリエリアが空いているときには、これらの選局キーを示す数字が、ステップ１３２により、１→３→４→６→１→３→…のように表示される。すなわち、空いている選局キーを示す数字が所定の時間ずつ巡回式に表示される。
【００７５】
そして、空いている選局キーの数字が所定の回数あるいは期間表示されると、これがステップ１３３により判別され、処理はステップ１３３からステップ１０１に戻り、再びキー入力待ちとなる。
【００７６】
また、ステップ１３２〜１３４が繰り返されているときに、キーＫPW〜ＫPS、Ｋ1 〜Ｋ7 のどれかが押されると、これがステップ１３４により判別され、処理はステップ１３４からステップ１０１に戻り、再びキー入力待ちとなる。
【００７７】
なお、ステップ１３１において、選局キーＫ1 〜Ｋ7 に対応するメモリエリアＡ1 〜Ａ7 のどれも空いていないときには、処理はステップ１３１からステップ１３５に進み、このステップ１３５において、ＬＣＤ５２に、空いている選局キーのないことを示す「０」が表示され、その後、処理はステップ１０１に戻り、キー入力待ちとなる。
【００７８】
こうして、受信機の電源がオフのときに、バンド／空きサーチキーＫBSを押すと、選局キーＫ1 〜Ｋ7 のうち、対応するメモリエリアに記録のない選局キーがＬＣＤ５２に順に表示されることになる。そして、その表示が終了すれば、再びキー入力待ちとなり、あるいは表示中にどれかキーを押せば、そこで表示を終了してやはりキー入力待ちとなる。
【００７９】
したがって、ＬＣＤ５２に表示された選局キーを押して記録を行ったときには、その選局キーにより記録されていた古い記録を上書き記録により消してしまうというようなことがない。
【００８０】
［記録の消去］
これは、任意の選局キーＫi の記録（対応するメモリエリアの記録）を消去する場合である。そして、この場合には、受信機の電源がオフのときに、エリア／消去キーＫAEを押しながら選局キーＫi を押す。
【００８１】
すると、ステップ１０１でキー入力待ちとなっていたＣＰＵ４１の処理が、ステップ１０２に進み、今の場合、キーＫAEおよびＫi なので、処理はさらにステップ１０２からステップ１４１に進む。
【００８２】
そして、このステップ１４１において、エリア／消去キーＫAEと一緒に押された選局キーＫi に対応するフラグFLGiが“０”にリセットされ、したがって、選局キーＫi に対応するメモリエリアには記録がない、すなわち、選局キーＫi には記録がないと見なされるようにされ、その後、処理はステップ１０１に戻って再びキー入力待ちとなる。
【００８３】
［まとめ］
この受信機によれば、電源がオフのときに、選局キーＫ1〜Ｋ7のどれかを押すと、その押されたキーＫiに対応するメモリエリアに対して記録および再生が行われるので、記録を７つまで独立に行うことができる。また、再生時も、複数の記録を順に選択あるいは再生して目的とする記録を見つけ出す必要がなく、ワンタッチで目的とするメッセージなどを再生することができる。つまり、７台のＩＣ記録再生機があるかのように使うことができ、物理的にも視覚的にも記録再生を整理することができる。
【００８４】
さらに、記録および再生に使用するキーの数が多すぎると、ユーザは何をどのキーに記録したかを覚え切れなくなるが、選局キーであれば、例えば上記のように７つ程度なので、何をどの選局キーに記録したかを覚えておくこともでき、特に視覚的にも覚えておくことができ、目的とするメッセージなどの再生が容易である。たとえ、選局キーを間違えたとしても、目的の記録を探し出すのは簡単である。
【００８５】
また、バンド／空きサーチキーＫBSを押すと、選局キーＫ1 〜Ｋ7 のうち、記録のない選局キーがＬＣＤ５２に順に表示されるので、古い記録に新しい記録を上書きしてしまうトラブルを減らすことができる。
【００８６】
さらに、記録再生に使用するほとんどのキーが放送を受信するためのキーと兼用なので、受信機がキーだらけになることがなく、また、受信機の小型化の妨げとなることもない。
【００８７】
なお、上述においては、受信部１０がＡＭ受信回路１１と、ＦＭ受信回路１２とを有している場合であるが、ＴＶ放送の音声の受信回路を有していてもよい。また、電源がオフのとき使用するキーＫAE、ＫBSは、放送を受信していないときには使用しないキーであれば、他のキーとすることもできる。
さらに、上述においては、選局キーＫiを長く押すと、記録ができ、短く押すと、再生ができるとしたが、例えば、選局キーＫiを２回続けて短く押すと（ダブルクリックすると）、記録ができ、１回短く押すと、再生ができるなどとすることもできる。
【００８８】
【発明の効果】
この発明によれば、電源がオフのときに、選局キーのどれかを押すと、他の記録再生とは独立に新たな記録再生を行うことができる。また、複数の記録を順に選択あるいは再生して目的とする記録を見つけ出す必要がなく、ワンタッチで目的とするメッセージなどを再生することができる。
【００８９】
さらに、記録および再生に使用するキーの数が多すぎると、ユーザは何をどのキーに記録したかを覚え切れなくなるが、選局キーであれば、その数がそれほど多くないので、何をどの選局キーに記録したかを覚えておくこともでき、特に視覚的にも覚えておくことができ、目的とするメッセージなどの再生が容易である。たとえ、選局キーを間違えたとしても、目的の記録を探し出すのは簡単である。
【００９０】
また、記録のない選局キーを表示することができる。さらに、受信機がキーだらけになることがなく、受信機を小型化することの妨げとなることもない。
【図面の簡単な説明】
【図１】この発明の一形態を示す系統図である。
【図２】この発明の一形態の一部を示すフローチャートである。
【図３】図２の続きの一形態を示すフローチャートである。
【図４】データテーブルの一形態を示す図である。
【図５】データテーブルの一形態を示す図である。
【図６】データテーブルの一形態を示す図である。
【符号の説明】
１０…ＡＭ・ＦＭ受信部、１１…ＡＭ受信回路、１２…ＦＭ受信回路、２０…記録再生部、２１…マイクロフォン、２３…記録再生回路、３０…音声出力部、３３…スピーカ、４０…マイクロコンピュータ、４１…ＣＰＵ、４２…ＲＯＭ、４３…ＲＡＭ、５１…メモリ（データ保存用）、５２…ＬＣＤ、５３…形成回路、１００…記録再生ルーチン、２３１…ローパスフィルタ（アンチエイリアシング用）、２３２…メモリ（記録再生用）、２３３…ローパスフィルタ（平滑用）、２３４…制御回路、ＫPW〜ＫPS…操作キー、Ｋ1 〜Ｋ7 …選局キー
【図１】
0003826518.tif 000002
【図２】
0003826518.tif 000003
【図３】
0003826518.tif 000004
【図４】
0003826518.tif 000005
【図５】
0003826518.tif 000006
【図６】
0003826518.tif 000007